(57)【要約】【課題】      電源制御装置、ポータブル音楽機器、電源制御方法、および、プログラムを提供する。【解決手段】    ポータブル音楽機器１００が、音楽データの再生中に、ポータブル音楽機器１００に接続された外部機器の電源がオフにされた場合において、ポータブル音楽機器１００の再生を所定の期間一時停止する。さらに、ポータブル音楽機器１００は、所定の期間経過後、ポータブル音楽機器１００の電源３１６もオフにすることができる。これにより、ポータブル音楽機器１００の充電電池３０５の無駄な消費を防ぐことができる。【選択図】    図１
2007025988.tif 000002
【特許請求の範囲】
【請求項１】
外部機器に接続され、音楽信号を該外部機器に供給するポータブル音楽機器であって、
楽曲データを記憶する記憶手段と、
前記記憶手段に記憶された楽曲データを再生する再生手段と、
前記外部機器から供給される制御信号の状態を検出する制御信号検出手段と、
前記再生手段が楽曲データを再生中に、前記制御信号検出手段が前記制御信号の所定の状態を検出したときに、前記再生手段による再生を停止させる停止手段と、
動作電源の供給を停止する電源停止手段と、
を備えることを特徴とするポータブル音楽機器。
【請求項２】
前記制御信号の所定の状態は、再生と停止をサイクリックに切り替えることを示す信号の状態である、ことを特徴とする請求項１に記載のポータブル音楽機器。
【請求項３】
前記停止手段は、前記制御信号検出手段が前記制御信号が所定の状態にあることを所定時間連続して検出したとき、前記再生手段による再生を停止させる、
ことを特徴とする請求項１又は２に記載のポータブル音楽機器。
【請求項４】
前記制御信号の所定の状態は、制御信号の供給が停止された状態である、
ことを特徴とする請求項１乃至３のいずれか１項に記載のポータブル音楽機器。
【請求項５】
前記制御信号の供給が停止された状態は、前記外部機器の電源オフ若しくは外部機器における当該ポータブル音楽機器の選択状態の解除によってなる状態である、
ことを特徴とする請求項４に記載のポータブル音楽機器。
【請求項６】
前記停止手段による停止動作の継続時間を計時する計時手段と、
前記計時手段が所定の時間を計時すると、前記電源停止手段により動作電源の供給を停止する、
ことを特徴とする請求項１乃至５のいずれか１項に記載のポータブル音楽機器。
【請求項７】
前記停止手段による前記再生手段の停止中に、前記外部機器より電源の停止をキャンセルする制御信号が供給されたときに、前記制御信号検出手段は該制御信号を検出し、前記停止手段による前記再生手段の停止を解除して、所定位置から再生させる、
ことを特徴とする請求項１乃至６のいずれか１項に記載のポータブル音楽機器。
【請求項８】
さらに、操作指示部を備え、
前記停止中に、再生を指示する指示信号が前記操作指示部より供給されたときに、
前記制御信号検出手段は該指示信号を検出し、前記停止手段による前記再生手段の停止を解除して、所定位置から再生させる、
ことを特徴とする請求項１乃至７のいずれか１項に記載のポータブル音楽機器。
【請求項９】
前記所定位置は、楽曲の停止した位置又は停止した楽曲の先頭位置の一方である、
ことを特徴とする請求項７又は８に記載のポータブル音楽機器。
【請求項１０】
電池と該電池の電力を用いて、再生部に再生用の電力を供給する電源部とを備え、
前記再生手段は、前記電源部からの電力により動作し、電源停止部は再生部への電力の供給を停止する、
ことを特徴とする請求項１乃至９のいずれか１項に記載のポータブル音楽機器。
【請求項１１】
外部機器に接続され、音楽信号を該外部機器に供給するポータブル音楽機器であって、
楽曲データを記憶する記憶手段と、
前記記憶手段に記憶された楽曲データを再生する再生手段と、
前記外部機器から供給される再生の停止を指示する制御信号を検出する制御信号検出手段と、
前記再生手段が楽曲データを再生中に、前記制御信号検出手段が前記制御信号を検出したときに、前記再生手段による再生を停止させる停止手段と、
前記制御信号の供給継続期間を計時する計時手段と、
前記計時手段が所定の時間を計時すると、動作電源の供給を停止する電源停止手段と、
を備えることを特徴とするポータブル音楽機器。
【請求項１２】
外部機器に接続され、音楽信号を該外部機器に供給するポータブル音楽機器における電源制御方法であって、
楽曲データを記憶する記憶ステップと、
前記記憶ステップで記憶された楽曲データを再生する再生ステップと、
前記外部機器から供給される制御信号の状態を検出する制御信号検出ステップと、
前記再生ステップで楽曲データを再生中に、前記制御信号検出ステップで前記制御信号の所定の状態を検出したときに、前記再生ステップによる再生を停止させる停止ステップと、
動作電源の供給を停止する電源停止ステップと、
を備えることを特徴とする電源制御方法。
【請求項１３】
外部機器に接続され、音楽信号を該外部機器に供給するポータブル音楽機器のコンピュータに、
楽曲データを記憶する記憶手順と、
前記記憶手順で記憶された楽曲データを再生する再生手順と、
前記外部機器から供給される制御信号の状態を検出する制御信号検出手順と、
前記再生手順で楽曲データを再生中に、前記制御信号検出手順で前記制御信号の所定の状態を検出したときに、前記再生手順による再生を停止させる停止手順と、
動作電源の供給を停止する電源停止手順と、
を実行させるプログラム。
【発明の詳細な説明】
【技術分野】
【０００１】
本発明は、ポータブル音楽機器、電源制御方法、および、プログラムに関する。
【背景技術】
【０００２】
ハードディスクドライブ（以下、ＨＤＤという）は、大容量のデータを記憶することが可能であり、また、記憶されたデータへの高速アクセスが可能である。このため、パーソナルコンピュータ等の外部機器では、ＨＤＤが外部記憶装置として重要な役割を果たしている。また、最近では、このようなＨＤＤの利点を生かして、ＡＶ機器等の分野においても、ＨＤＤが映像データや音楽データ等を記憶する大容量記憶装置として利用され始めている。
【０００３】
また、最近では、パーソナルコンピュータ等の外部機器のモバイル化に伴って、自由に持ち運びができる携帯型のＨＤＤも提案されている。さらに、この携帯型のＨＤＤをＡＶ機器等の分野に適応して、例えば、ＨＤＤ内蔵のポータブルオーディオプレイヤー等の、自由に持ち運びが出来る携帯型のポータブル音楽機器が、特許文献１に開示されている。
【０００４】
この特許文献１に開示されているポータブル音楽機器によれば、ポータブル音楽機器を本体電子機器（外部機器）等に接続でき、ユーザは、この外部機器からポータブル音楽機器に内蔵されるＨＤＤに記憶された音楽データの再生や一時停止等の指示を出すことができる。
【特許文献１】特開平１１−１２０６８１号公報
【０００５】
しかし、上記ポータブル音楽機器では、例えば、外部機器に接続した状態で音楽データを再生中に、この外部機器の電源をオフにしても、ポータブル音楽機器は充電電池等から電力を供給して、再生を続ける。よって、ポータブル音楽機器の充電電池の充電は無くなり、いざ、ユーザが屋外で使用したい時に、使用できないといった状況等が起こり不便であった。
【発明の開示】
【発明が解決しようとする課題】
【０００６】
本発明は、上記実状に鑑みてなされたものであり、ポータブル音楽機器を外部機器に接続した状態で音楽データを再生中または一時停止の時に、外部機器の状態により、ポータブル音楽機器の電源のオフを制御できるようにし、充電電池を無駄に消費しないポータブル音楽機器を提供することを目的とする。
【課題を解決するための手段】
【０００７】
上記目的を達成するため、本発明の第１の観点に係るポータブル音楽機器は、
外部機器に接続され、音楽信号を該外部機器に供給するポータブル音楽機器であって、
楽曲データを記憶する記憶手段と、
前記記憶手段に記憶された楽曲データを再生する再生手段と、
前記外部機器から供給される制御信号の状態を検出する制御信号検出手段と、
前記再生手段が楽曲データを再生中に、前記制御信号検出手段が前記制御信号の所定の状態を検出したときに、前記再生手段による再生を停止させる停止手段と、
動作電源の供給を停止する電源停止手段と、
を備えることを特徴とする。
【０００８】
また、上記ポータブル音楽機器において、
前記制御信号の所定の状態は、再生と停止をサイクリックに切り替えることを示す信号の状態である、
ようにしてもよい。
【０００９】
さらに、上記ポータブル音楽機器において、
前記停止手段は、前記制御信号検出手段が前記制御信号が所定の状態にあることを所定時間連続して検出したとき、前記再生手段による再生を停止させる、
ようにしてもよい。
【００１０】
また、上記ポータブル音楽機器において、
前記所定の制御信号の状態は、制御信号の供給が停止された状態である、
ようにしてもよい。
【００１１】
さらに、上記ポータブル音楽機器において、
前記制御信号の供給が停止された状態は、前記外部機器の電源オフ若しくは外部機器における当該ポータブル音楽機器の選択状態の解除によってなる状態である、
ようにしてもよい。
【００１２】
また、上記ポータブル音楽機器において、
前記停止手段による停止動作の継続時間を計時する計時手段と、
前記計時手段が所定の時間を計時すると、前記電源停止手段により動作電源の供給を停止する、
ようにしてもよい。
【００１３】
さらに、上記ポータブル音楽機器において、
前記停止手段による前記再生手段の停止中に、前記外部機器より電源の停止をキャンセルする制御信号が供給されたときに、
前記制御信号検出手段は該制御信号を検出し、前記停止手段による前記再生手段の停止を解除して、所定位置から再生させる、
ようにしてもよい。
【００１４】
また、上記ポータブル音楽機器において、
さらに、操作指示部を備え、
前記停止中に、再生を指示する指示信号が前記操作指示部より供給されたときに、前記制御信号検出手段は該指示信号を検出し、前記停止手段による前記再生手段の停止を解除して、所定位置から再生させる、
ようにしてもよい。
【００１５】
さらに、上記ポータブル音楽機器において、
前記所定位置は、楽曲の停止した位置又は停止した楽曲の先頭位置の一方である、
ようにしてもよい。
【００１６】
また、上記ポータブル音楽機器において、
電池と該電池の電力を用いて、再生部に再生用の電力を供給する電源部とを備え、
前記再生手段は、前記電源部からの電力により動作し、電源停止部は再生部への電力の供給を停止する、
ようにしてもよい。
【００１７】
また、本発明の第２の観点に係るポータブル音楽機器は、
外部機器に接続され、音楽信号を該外部機器に供給するポータブル音楽機器であって、
楽曲データを記憶する記憶手段と、
前記記憶手段に記憶された楽曲データを再生する再生手段と、
前記外部機器から供給される再生の停止を指示する制御信号を検出する制御信号検出手段と、
前記再生手段が楽曲データを再生中に、前記制御信号検出手段が前記制御信号を検出したときに、前記再生手段による再生を停止させる停止手段と、
前記制御信号の供給継続期間を計時する計時手段と、
前記計時手段が所定の時間を計時すると、動作電源の供給を停止する電源停止手段と、
を備えることを特徴とする。
【００１８】
また、本発明の第３の観点に係る電源制御方法は、
外部機器に接続され、音楽信号を該外部機器に供給するポータブル音楽機器における電源制御方法であって、
楽曲データを記憶する記憶ステップと、
前記記憶ステップで記憶された楽曲データを再生する再生ステップと、
前記外部機器から供給される制御信号の状態を検出する制御信号検出ステップと、
前記再生ステップで楽曲データを再生中に、前記制御信号検出ステップにより所定の制御信号の状態を検出したときに、前記再生ステップによる再生を停止させる停止ステップと、
動作電源の供給を停止する電源停止ステップと、
を備えることを特徴とする。
【００１９】
また、本発明の第４の観点に係るプログラムは、
外部機器に接続され、音楽信号を該外部機器に供給するポータブル音楽機器のコンピュータに、
楽曲データを記憶する記憶手順と、
前記記憶手順で記憶された楽曲データを再生する再生手順と、
前記外部機器から供給される制御信号の状態を検出する制御信号検出手順と、
前記再生手順で楽曲データを再生中に、前記制御信号検出手順により所定の制御信号の状態を検出したときに、前記再生手順による再生を停止させる停止手順と、
動作電源の供給を停止する電源停止手順と、
を実行させる。
【発明の効果】
【００２０】
本発明のポータブル音楽機器によれば、ポータブル音楽機器を外部機器に接続した状態で音楽データを再生中または一時停止の時に、外部機器の状態により、ポータブル音楽機器の電源オフを制御できるようにし、充電電池を無駄に消費しないようにすることができる。
【発明を実施するための最良の形態】
【００２１】
以下、本発明の最良の実施の形態に係るポータブル音楽機器１００と、このポータブル音楽機器１００に接続され、ポータブル音楽機器１００からの信号を増幅して出力する外部機器としての外部アンプ１０１とを説明する。
【００２２】
ポータブル音楽機器１００は、図１に示すように、制御部３０１と、音楽データ（例えば、ＭＰ３（MPEG1 Audio Layer-3）等の音楽データ）やデータ情報を記憶する記憶部３０２と、音声信号出力部３０９と、信号増幅器３１０と、Ａ／Ｄコンバータ３１１と、機器全体の駆動源となる電源３１６と充電可能な充電電池３０５を備え、これらが筐体に内蔵されている。
【００２３】
ポータブル音楽機器１００の筐体には、表示部３０３と、複数のキーを含むキー操作部３０４、接続端子１１７が配置されている。
【００２４】
音声信号出力部３０９は、記憶部３０２から読み出した音楽データをアナログ信号に変換して出力するＤ／Ａコンバータから構成される。
【００２５】
信号増幅器３１０は、記憶部３０２から音声信号出力部３０９に読み出した音楽データ（アナログ信号）を、制御部３０１から与えられた制御信号で指示された増幅率で増幅して接続端子１１７に出力するアナログ回路である。
【００２６】
記憶部３０２は、ハードディスク装置やフラッシュメモリ等の記憶装置で構成される。記憶部３０２は、音楽データ等に加えて、該音楽データに関連づけて曲名やアーティスト名等のデータ情報を記憶する。
【００２７】
表示部３０３は、液晶モニタ（ＬＣＤ：Liquid Crystal Display）や蛍光表示管（ＶＦＤ：Vacuum Fluorescent Display）等のフラットパネルディスプレイから構成され、制御部３０１に制御され、操作状況等をユーザに明らかにするための文字列等を表示する。
【００２８】
キー操作部３０４は、再生や停止を指示するためのボタンスイッチや、音楽データの再生を強制的に一時停止させるための一時停止ボタンスイッチや、押下によりこのポータブル音楽機器の電源をオンし、オン状態での長押しで、ポータブル音楽機器１００の電源を直ちにオフにする電源ボタンスイッチ、等を備える。
【００２９】
尚、ハードディスクを記憶媒体とする再生機器では、再生データ（音楽データ）は後述するＲＡＭ３０８に一旦転送され、ＲＡＭ３０８からの読み出しで再生を行う。従って、ＲＡＭ３０８からデータの読み出しを停止する処理は、再生停止処理と一時停止処理に共通であり、実施の形態では、一般に言う再生停止も一時停止として説明する。
【００３０】
制御部３０１は、例えば、ＣＰＵ（Central Processing Unit）３０６、ＲＯＭ（Read Only Memory）３０７、ＲＡＭ（Random Access Memory）３０８等から構成される。
ＣＰＵ３０６はＲＯＭ３０７に記憶される各種プログラム（一般的な再生や停止の動作を制御する動作制御プログラム３１５や、後述するポーズ制御プログラム３１２、制御信号解析プログラム３１４、制御信号変換テーブル３１３等）を適宜実行することによって、ポータブル音楽機器１００全体の動作を制御する。また、ＣＰＵ３０６は内部タイマを有する。また、ＲＡＭ３０８は、ＣＰＵ３０６がプログラムを実行する際、ワークメモリとして再生データのロード等に用いられるものである。
【００３１】
ＲＯＭ３０７は、読み出し専用の記憶装置である。上述した動作制御プログラム３１５等の書き換える必要のない情報を記憶する。
【００３２】
ポーズ制御プログラム３１２は、ＣＰＵ３０６が外部アンプ１０１から、音楽データの再生を強制的に一時停止させる制御信号を音声信号出力部３０９及び信号増幅器３１０に供給するためのプログラムである。また、ポーズ制御プログラム３１２は、代わりに同様の機能を持つ電子回路で構成してもよい。
【００３３】
制御信号変換テーブル３１３は、図３に示すように、信号電圧値とそれに対応する制御信号内容を記憶しておく。
【００３４】
制御信号解析プログラム３１４は、ＣＰＵ３０６が外部アンプ１０１からの制御信号（アナログ信号）に対応する予め定めた制御信号を、ポーズ制御プログラム３１２や、各部を制御するプログラムに供給するためのプログラムである。具体的には、外部アンプ１０１からの制御信号（アナログ信号）は、Ａ／Ｄコンバータ３１１によりディジタル信号に変換され、ＣＰＵ３０６は、図３に示す制御信号変換テーブル３１３を参照して、対応する制御信号を生成する。ＣＰＵ３０６は、生成した制御信号に従って各部を制御する。
また、制御信号解析プログラム３１４は、代わりに同様の機能を持つ電子回路で構成してもよい。
【００３５】
次に、図１のポータブル音楽機器１００に接続される外部アンプ１０１の構成について図２を参照して説明する。外部アンプ１０１は、再生音をユーザの所望する音量に調整でき、かつ、ポータブル音楽機器１００に接続している場合に、所定の電圧をポータブル音楽機器１００に供給することができる、例えば、システムオーディオ等の機器である。この外部アンプ１０１は、制御部４００と、操作部４０１と、信号増幅器４０２と、電圧変換部４０６と、電源４１３とを備え、これらが筐体に内蔵される。
【００３６】
外部アンプ１０１の筐体には、ポータブル音楽機器１００の接続端子１１７に一端が接続されたケーブルの他端が接続される接続端子１１８と、操作部４０１とが配置されている。
【００３７】
また、操作部４０１は、電源をオフにする電源オフキー４０９、データソース（コンパクトディスクプレーヤーやラジオチューナー等）を切り替えるセレクタ切替キー４１０、再生を一時停止する一時停止キー４１１、音量調節や再生指示等をするその他のキー４１２等から構成される。また、一時停止キー４１１を長押しした場合に、ポータブル音楽機器１００が強制的に電源オフ制御される。ポータブル音楽機器１００の強制電源オフ制御については、後述する。
【００３８】
信号増幅器４０２の入力端は、接続端子１１８、接続端子１２０に接続され、信号増幅器４０２の出力端に、スピーカ１０２が接続されている。
また、接続端子１２０には、他のソース（例えば、コンパクトディスクプレーヤー等）が接続され、ユーザによりセレクタ切替キー４１０が押下されることにより、ＣＰＵ４０３は、信号増幅器４０２に入力するソースを、他のソースに切り替える。
【００３９】
制御部４００は、例えば、ＣＰＵ４０３、ＲＯＭ４０４、ＲＡＭ４０５等から構成される。ＣＰＵ４０３はＲＯＭ４０４に記憶される各種プログラム（一般的な動作制御プログラムや、後述する接続検出プログラム４０７、音量制御プログラム４０８等）を適宜実行することによって、外部アンプ１０１全体の動作を制御する。また、ＲＡＭ４０５は、ＣＰＵ４０３がプログラムを実行する際、ワークメモリとして用いられるものである。
【００４０】
操作部４０１のその他のキー４１２は、信号増幅器４０２の増幅率を指示する。この指示された増幅率を、ＣＰＵ４０３は音量制御プログラム４０８に従って判別し、検出した情報に基づいた増幅率制御信号を信号増幅器４０２に供給する。信号増幅器４０２は、この増幅率制御信号に従った増幅率で、ポータブル音楽機器１００から入力された音声信号を増幅する。これにより、スピーカ１０２から出力される再生音が調節される。
【００４１】
また、ＣＰＵ４０３は、ＲＯＭ４０４に記憶された接続検出プログラム４０７に従って、ポータブル音楽機器１００が接続されているか否かを判別する。判別した結果、ポータブル音楽機器１００が接続されている場合は、所定の制御信号を電圧変換部４０６に供給する。
【００４２】
また、ＣＰＵ４０３は、操作部４０１の操作毎に異なる所定の制御信号を電圧変換部４０６に供給する。具体的には、図示していないが、操作コードとそれに対応する制御信号が記録された制御信号変換テーブルをＲＯＭ４０４等に記憶しておき、ＣＰＵ４０３は、該制御信号変換テーブルを参照して、所定の制御信号を電圧変換部４０６に供給する。
【００４３】
電圧変換部４０６は、入力された制御信号に応じて発生する電圧を切り替え、制御信号（アナログ信号）を発生する。電圧変換部４０６が発生させる具体的な電圧値は、図３に示した制御信号変換テーブル３１３に記載した信号電圧値と同一である。なお、再生と一時停止に対応する電圧値は、共通の２．７４［Ｖ］とし、これを検出したポータブル音楽機器１００のＣＰＵ３０６は、再生と一時停止をサイクリックに切り替える。
また、外部アンプ１０１の電源がオフになった時は、電圧変換部４０６による制御信号の供給を停止する（換言すると、制御信号の電圧を１．６Ｖの状態から０Ｖの状態に切り替える）。
【００４４】
さらに、外部アンプ１０１に備わるコンパクトディスクプレーヤーやチューナーから音楽データを出力するようにモードセレクタを切り替えられた場合も、電圧変換部４０６の制御信号の発生を停止するようにする。電圧変換部４０６の発生する制御信号は、ポータブル音楽機器１００の制御部３０１に入力される。
ここで、モードセレクタを切り替えられた場合、電圧変換部４０６の制御信号の発生を停止するのではなく、所定の制御信号を電圧変換部４０６に供給するようにしてもよい。
【００４５】
また、接続端子１１７、１１８は４極プラグ（Ｌ端子、Ｒ端子、ＧＮＤ端子、制御端子で構成される）であり、ポータブル音楽機器１００と、外部アンプ１０１は、接続端子１１７、１１８間を４極線１１９で接続される。そのうちの一つの制御線に制御信号を送り、外部アンプ１０１からポータブル音楽機器１００を制御する。また、ポータブル音楽機器１００で再生される音楽データは、４極線１１９を介して外部アンプ１０１に送られる。
【００４６】
次に、外部アンプ１０１と、ポータブル音楽機器１００の動作を図４乃至図８のフローチャートを参照して説明する。
【００４７】
ポータブル音楽機器１００は、記憶部３０２に記憶された音楽データを再生するとき、ＣＰＵ３０６は、再生を指示された記憶部３０２内の音楽データの全部又は一部をＲＡＭ（キャッシュメモリ）３０８にロードする。
【００４８】
そして、ＣＰＵ３０６は、ＲＡＭ３０８にロードした音楽データを、以後再生する。ＣＰＵ３０６は、ＲＡＭ３０８に音楽データの残りの部分を順次転送する。ＣＰＵ３０６は、ＲＡＭ３０８に格納されている音楽データを、例えば、ＭＰ３デコーダ（図示せず）に供給して復号し、音声信号出力部３０９に供給して、音声データ（アナログ信号）を信号増幅器３１０に出力する。該音声データは信号増幅器３１０で増幅され、接続端子１１７、４極線１１９、接続端子１１８を介して、外部アンプ１０１内の信号増幅器４０２に供給される。これを指示された増幅率で増幅した音声データをスピーカ１０２に出力する。
【００４９】
上述したように、ポータブル音楽機器１００が音楽データを再生している期間中、外部アンプ１０１は、接続検出プログラム４０７の判別結果に従って、所定の制御信号（例えば、図３に示す１．６［Ｖ］の電圧信号）をポータブル音楽機器１００に供給している。
【００５０】
この状態のときの、外部アンプ１０１の動作について説明する。  
電源オフキー４０９の押下による操作部４０１からのＣＰＵ４０３への割り込み入力があった時に、図４のフローチャートに示すように、ＣＰＵ４０３は、ポータブル音楽機器１００に供給していた前記所定の制御信号を供給するのを停止する（換言すれば、制御信号の電圧を０［Ｖ］の状態とする）（ステップＳ１０１）。また、外部アンプ１０１への電力供給を停止する。これにより、外部アンプ１０１の動作は停止する。
【００５１】
また、セレクタ切替キー４１０の押下によるＣＰＵ４０３への割り込み入力があった時に、図５に示すように、ＣＰＵ４０３は、データソースをポータブル音楽機器１００から、他のソースに切り替える（ステップＳ２０１）。
【００５２】
そして、ＣＰＵ４０３は、ポータブル音楽機器１００に供給していた前記所定の制御信号を供給するのを停止する（換言すれば、制御信号の電圧レベルを０Ｖの状態とする）（ステップＳ２０２）。これにより、外部アンプ１０１の動作の処理は終了する。
【００５３】
さらに、一時停止キー４１１或いはその他のキー４１２の押下による操作部４０１からのＣＰＵ４０３への割り込み入力があった時に、ポータブル音楽機器１００に供給していた前記所定の制御信号を供給するのを停止し、押下されたキーに対応づけられた所定の制御信号をポータブル音楽機器１００に供給し（ステップＳ３０１）する。これにより、外部アンプ１０１の動作の処理は終了する。
【００５４】
以上の外部アンプ１０１の動作によって、制御信号はポータブル音楽機器１００に供給される。
次に、この制御信号がポータブル音楽機器１００に供給されたときの、ポータブル音楽機器１００の動作について、図７、図８のフローチャートを参照して説明する。
【００５５】
ポータブル音楽機器１００の動作処理は、図７のフローチャートに示すように、ＣＰＵ３０６は内部タイマを有し、例えば、２０ｍｓ毎の、タイマ割り込み入力によりポータブル音楽機器１００の動作処理は開始する。このとき、ＣＰＵ３０６は、Ａ／Ｄコンバータ３１１から供給される信号を検出する（ステップＳ４０１）。
【００５６】
このとき、供給される制御信号は、上述した外部アンプ１０１から供給される制御信号であり、キー操作毎に異なる電圧値が割り振られたアナログ信号である。なお、外部アンプ１０１がパワーオフして、制御信号がＣＰＵ３０６に供給されなくなった場合は、０［Ｖ］の制御信号が供給されているといえる。
ＣＰＵ３０６は、制御信号解析プログラム３１４を起動し、この制御信号を、一度、Ａ／Ｄコンバータ３１１を介してディジタル信号に変換し、図３に示す制御信号変換テーブル３１３を参照して、制御信号に対応した制御処理を特定する（ステップＳ４０２）。
【００５７】
ここで、ＣＰＵ３０６は、特定した制御処理を実行する（ステップＳ４０３）。実行する制御処理は、種々あるが（例えば、パワーオフ、再生、ポーズ、トラックアップ（次の曲）／トラックダウン（前の曲）等）、まず、外部アンプ１０１がパワーオフした場合におけるＣＰＵ３０６の実行処理について、図８のフローチャートを参照して説明する。なお、外部アンプ１０１においてデータソースが切り替えられた場合も、外部アンプ１０１がパワーオフした場合と同様の動作になるので、説明を省略する。
【００５８】
上述したように、外部アンプ１０１がパワーオフした場合（ステップＳ５０１；Ｙｅｓ）、ポータブル音楽機器１００に制御信号は供給されなくなり、ＣＰＵ３０６は、制御信号解析プログラム３１４を起動して、外部アンプ接続なしと特定する。
このとき、ＣＰＵ３０６は、ポーズ制御プログラム３１２を起動する。ＣＰＵ３０６は、ポーズ制御プログラム３１２に従って、記憶部３０２に記憶された音楽データの再生動作を中断し、音声信号出力部３０９への音楽データの供給を一時停止する（ステップＳ５０２）。このとき、音楽データの一時停止された位置等といったステータスを記憶しておく。また、ノイズが音声信号として出力されないように、ミュート制御信号を信号増幅器３１０へ供給して、音声信号の増幅率を０にする。
また、ステップＳ５０１で特定した制御信号が「外部アンプ接続なし」でなかった場合は（ステップＳ５０１；Ｎｏ）、他の処理を実行して終了する。
【００５９】
次に、所定の期間（例えば、３分間）一時停止の状態が維持されたときに、ポータブル音楽機器１００をパワーオフにするために、ＣＰＵ３０６の有する内部タイマを初期化（起動）する（ステップＳ５０３）。
【００６０】
タイマ初期化後、キー操作部３０４からの割込入力や外部アンプ１０１からのケーブル１１９を介した制御信号の供給による割り込み入力等が為されずに（ステップＳ５０４；Ｎｏ）、特段の反する指示がなく、一時停止の状態が維持されれば、例えば、２０msec毎にカウントを一つインクリメントする（ステップＳ５０５）。
【００６１】
そして、所定のカウント（例えば、３分後にパワーオフしたければ、９０００カウント）をオーバーしたか否かを判別し（ステップＳ５０６）、オーバーしていない場合で（ステップＳ５０６；Ｎｏ）、割り込み入力等の特段の反する指示が無い場合は（ステップＳ５０４；Ｎｏ）、カウントをインクリメントし続ける（ステップＳ５０５）。所定のカウントをオーバーした場合は（ステップＳ５０６；Ｙｅｓ）、ＣＰＵ３０６は、電源３１６に制御信号を送り、ポータブル音楽機器１００全体に電力を供給するのを停止させる（ステップＳ５０７）。これにより、ポータブル音楽機器１００の動作の処理は終了する。
【００６２】
一方、ステップＳ５０４で、割り込み入力等で一時停止に反する指示が為された場合（ステップＳ５０４；Ｙｅｓ）、ＣＰＵ３０６は、その指示が再生の指示か否かを判別する（ステップＳ５０８）。再生以外の指示である場合（ステップＳ５０８；Ｎｏ）。指示に対応する処理動作に移行する。これにより、ポータブル音楽機器１００の動作の処理は終了する。
また、ステップＳ５０８で、再生の指示であると判別した場合（ステップＳ５０８；Ｙｅｓ）、ステップＳ５０２で記憶したステータスに基づいて再生処理を再開する（ステップＳ５０９）。これにより、ポータブル音楽機器１００の動作の処理は終了する。
【００６３】
以上のポータブル音楽機器１００の動作により、音楽データの再生又は一時停止中に、外部アンプ１０１の電源がオフにされた場合、ポータブル音楽機器１００の再生を所定の期間一時停止し、所定の期間経過後、ポータブル音楽機器１００の電源もオフにする。これにより、ポータブル音楽機器１００の充電電池３０５の無駄な消費を防ぐことができる。しかも、外部アンプ１０１の電源がオフされてから、一時停止期間を配置しているので、再操作を受け付けることが可能となる。一方、ポータブル音楽機器１００の電源のオフがキー操作部３０４から直接指示されたときには、使用者の意図が明確であるので、一時停止期間を設けず、直ちに電源をオフする。
【００６４】
なお、ポータブル音楽機器１００のキー操作部３０４が操作されて電源のオフが指示された場合（例えば、電源キーが長押しされた場合）、図９に示すように、一時停止状態にして再操作を待機することはせずに、ポータブル音楽機器１００の電源をただちにオフにする（ステップＳ６０１）。
【００６５】
また、図７に示すステップＳ４０１で検出した制御信号が、一時停止キー４１１の長押しによる強制電源オフ指示である場合における、ポータブル音楽機器１００の動作について説明する。
ここで、強制電源オフ信号の発生は、一時停止キー４１１の長押しによる必要はなく、他のキーであってもよい。例えば、データソースをポータブル音楽機器１００に切り替えるセレクタキーの長押しであってもよい。また、再生／一時停止キーとセレクタキーを共通のキーとしてもよい。
【００６６】
ＣＰＵ３０６が、音楽データの再生時であっても、一時停止時であっても、外部アンプ１０１から供給される所定の電圧値（一時停止信号とする（図３では、２．７４［Ｖ］としてある））を検出した場合は、一時停止するようにする（ステップＳ５０１）。
そこで、ポータブル音楽機器１００は、一時停止信号が所定期間（例えば、３秒間）続けて供給されているか否かを判断する。所定期間一時停止信号が供給されたときは、強制電源オフ制御を行う。
【００６７】
なお、本発明は、上記実施形態に限定されず、種々の変形、応用が可能である。
【００６８】
例えば、上記実施形態においては、記憶部３０２はハードディスク、フラッシュメモリ等から構成されたが、他の記憶媒体や、今後開発される種々の大容量記憶媒体から構成されてもよい。
【００６９】
また、上記実施形態において、ＣＰＵ３０６、ＣＰＵ４０３が実行するプログラムは、予めＲＯＭ等に記憶されていた。しかしながら、本発明は、これに限定されず、上述の処理を実行させるためのプログラムを、既存のポータブル音楽機器、外部アンプに適用することで、上記実施形態にかかるポータブル音楽機器１００、外部アンプ１０１として機能させるようにしてもよい。
【００７０】
このようなプログラムの提供方法は任意であり、例えば、インターネットなどの通信媒体を介して提供可能である他、例えば、メモリカードなどの記録媒体に格納して配布してもよい。
【００７１】
さらに、上記実施形態において、外部アンプ１０１は、システムオーディオ等の機器としていた。しかしながら、これに限定されず、パーソナルコンピュータ等の情報処理装置としてもよい。
【００７２】
また、上記実施形態のポータブル音楽機器１００に限定されず、ポータブル音楽機器は、携帯型の小型装置であり、外部機器と接続でき、外部機器の状態に応じて電源をオフにする機能を備える電源制御装置であれば、任意の構造、名称でよい。
【００７３】
また、ポーズ制御プログラム３１２と、制御信号解析プログラム３１４は、図１に示したＲＯＭ３０７等に格納されるソフトウェアとして構成してもよいし、同様の機能を持つハードウェアとして構成してもよい。さらに、接続検出プログラム４０７と、音量制御プログラム４０８は、図２に示したＲＯＭ４０４等に格納されるソフトウェアとして構成してもよいし、同様の機能を持つハードウェアとして構成してもよい。
【００７４】
本発明において、「電源のオフ」とは、システムの電力消費を完全に０にすることを意味せず、実効的な消費電力をほぼ０にする場合を含む概念である。例えば、電子機器においては、電源オフ時であっても、スリープ状態のＣＰＵに待機電力を供給しておき、キー操作部３０４に何らかの或いは所定のキー操作があると、ＣＰＵに割込信号が入り、通常モードに復帰し、各部に電力の供給を開始するといったタイプの電子機器が存在する。このような装置の場合には、ＣＰＵに供給する電力を動作用の電力（比較的大容量）から待機用電力（小容量）に切り替えることも、電源のオフに相当するものである。
【図面の簡単な説明】
【００７５】
【図１】本発明の実施の形態に係るポータブル音楽機器の構成の一例を示すブロック図である。
【図２】本発明の実施の形態に係る外部アンプの構成の一例を示すブロック図である。
【図３】本発明の実施の形態に係る制御信号変換テーブルの一例を示す図である。
【図４】本発明の実施の形態に係る外部アンプにおける、電源オフキーが押下された場合の動作処理を説明するフローチャートである。
【図５】本発明の実施の形態に係る外部アンプにおける、セレクタ切替キーが押下された場合の動作処理を説明するフローチャートである。
【図６】本発明の実施の形態に係る外部アンプにおける、一時停止キー或いはその他のキーが押下された場合の動作処理を説明するフローチャートである。
【図７】本発明の実施の形態に係るポータブル音楽機器における、供給された制御信号に対応する制御処理を特定する動作処理を説明するフローチャートである。
【図８】本発明の実施の形態に係るポータブル音楽機器における、外部アンプがパワーオフした場合の動作処理を説明するフローチャートである。
【図９】本発明の実施の形態に係るポータブル音楽機器の電源キーが操作されて、電源オフが指示されたときの動作処理を説明するフローチャートである。
【符号の説明】
【００７６】
１００    ポータブル音楽機器
１０１    外部アンプ
３０２    記憶部
３０５    充電電池
３０６    ＣＰＵ（ポータブル音楽機器）
３０９    音楽信号出力部
３１０    信号増幅器
３１２    ポーズ制御プログラム
３１３    制御信号変換テーブル
３１４    制御信号解析プログラム
３１６    電源
４０３    ＣＰＵ（外部アンプ）
４０６    電圧変換部
４０７    接続検出プログラム
４０９    電源オフキー
４１０    セレクタ切替キー
４１１    一時停止キー
４１２    その他のキー
【図１】
2007025988.tif 000003
【図２】
2007025988.tif 000004
【図３】
2007025988.tif 000005
【図４】
2007025988.tif 000006
【図５】
2007025988.tif 000007
【図６】
2007025988.tif 000008
【図７】
2007025988.tif 000009
【図８】
2007025988.tif 000010
【図９】
2007025988.tif 000011